(57)【要約】【課題】  被溶接対象の母材表面等に凹凸が存在する場合に利用できるスタッド溶接機の位置決め装置の提供。【解決手段】  溶接機本体１の外周にレッグ保持体２を突設し、そのレッグ保持体２にレッグ４を移動自在に保持する。そしてレッグ４とレッグ保持体２との間に、レッグ４の移動を係脱自在にロックするロック手段５を設ける。【選択図】        図１
2005040854.tif 000002
【特許請求の範囲】
【請求項１】
溶接機本体(1) の外周にレッグ保持体(2) を突設し、
その溶接機本体(1) のスタッド把持部(3) の軸線方向に移動自在となるように細長い棒状のレッグ(4) を、そのレッグ保持体(2) に挿通し、
そのレッグ(4) とレッグ保持体(2) との間に、レッグ(4) の移動を係脱自在にロックするロック手段(5) を設けたスタッド溶接機の位置決め装置。
【請求項２】
請求項１において、
前記レッグ保持体(2) は、その軸線方向が溶接機本体(1) のスタッド把持部(3) の軸線方向に平行となる筒状部(6) を有し、その筒状部(6) に前記レッグ(4) が挿通され、
前記ロック手段(5) は、前記レッグ保持体(2) に突設された係止部材(7) にレバー(8) が、前記軸線方向へ揺動自在に支持されると共に、そのレバー(8) の挿通孔(9) に前記レッグ(4) が挿通され且つ、そのレバー(8) と前記レッグ保持体(2) の筒状部(6) との間に圧縮スプリング(10)が介装されて、その圧縮スプリング(10)の付勢力により前記挿通孔(9) の孔縁がレッグ(4) 外面に係止され、その付勢力に抗してレバー(8) を揺動したとき、ロックが解除されるように構成されたスタッド溶接機の位置決め装置。
【請求項３】
請求項２において、
前記レバー(8) とレッグ(4) の後端部との間に引張スプリング(11)が介装され、前記レバー(8) を圧縮スプリング(10)の付勢力に抗して揺動させたとき、前記引張スプリング(11)の付勢力によりレッグ(4) が先端側に移動するように構成されたスタッド溶接機の位置決め装置。
【発明の詳細な説明】
【技術分野】
【０００１】
本発明は、ボイラーチューブ用スタッドの補修や、母材表面に凹凸が存在する場合の如く、溶接面の高さが変化する場合に有用なスタッド溶接機の位置決め装置に関する。
【背景技術】
【０００２】
ボイラーチューブの外周には多数のスタッドが植設され、そのスタッドを介してボイラーチューブは耐火材に埋設され、ボイラー内の高温にチューブが耐え得るように形成されている。このようなボイラーチューブのスタッドは、次第にボイラーの使用に伴って先端が丸くなってくる。
【０００３】
そこで、このようなボイラーチューブのスタッド補修方法が提案されている。
このスタッド補修方法は丸くなった先端を研磨し、先端を平坦にした後に、その平坦面にスタッドを押し当て、コンデンサータイプのスタッド溶接機で溶接し、その後、耐火材をボイラーチューブに溶接されたスタッド表面に被せるものである。
【特許文献１】特開昭５７−２５２８４号公報
【発明の開示】
【発明が解決しようとする課題】
【０００４】
このようなボイラーチューブのスタッド補修方法では、各部のスタッドの消耗割合は場所により夫々異なるため、研磨した消耗スタッドの平坦高さは夫々異なり、そこにコンデンサータイプのスタッド溶接機で溶接する場合、従来の固定的な位置決め装置である棒状の細長いレッグをそのまま用いることはできなかった。そこで、その位置決め装置を取り外した状態で新たなスタッドを消耗スタッドの先端に溶接せざるを得ない。すると、コンデンサータイプのスタッド溶接機で各スタッド毎に接触圧が異なり、溶接の信頼性に欠ける欠点が生じる。
そこで本発明は、このように溶接面の高さが異なっても、熟練を要さず、誰にでも容易にスタッド溶接を行うことができる作業性の良い位置決め装置を提供することを課題とする。
【課題を解決するための手段】
【０００５】
請求項１に記載の本発明は、溶接機本体(1) の外周にレッグ保持体(2) を突設し、
その溶接機本体(1) のスタッド把持部(3) の軸線方向に移動自在となるように細長い棒状のレッグ(4) を、そのレッグ保持体(2) に挿通し、
そのレッグ(4) とレッグ保持体(2) との間に、レッグ(4) の移動を係脱自在にロックするロック手段(5) を設けたスタッド溶接機の位置決め装置である。
【０００６】
請求項２に記載の本発明は、請求項１において、
前記レッグ保持体(2) は、その軸線方向が溶接機本体(1) のスタッド把持部(3) の軸線方向に平行となる筒状部(6) を有し、その筒状部(6) に前記レッグ(4) が挿通され、
前記ロック手段(5) は、前記レッグ保持体(2) に突設された係止部材(7) にレバー(8) が、前記軸線方向へ揺動自在に支持されると共に、そのレバー(8) の挿通孔(9) に前記レッグ(4) が挿通され且つ、そのレバー(8) と前記レッグ保持体(2) の筒状部(6) との間に圧縮スプリング(10)が介装されて、その圧縮スプリング(10)の付勢力により前記挿通孔(9) の孔縁がレッグ(4) 外面に係止され、その付勢力に抗してレバー(8) を揺動したとき、ロックが解除されるように構成されたスタッド溶接機の位置決め装置である。
【０００７】
請求項３に記載の本発明は、請求項２において、
前記レバー(8) とレッグ(4) の後端部との間に引張スプリング(11)が介装され、前記レバー(8) を圧縮スプリング(10)の付勢力に抗して揺動させたとき、前記引張スプリング(11)の付勢力によりレッグ(4) が先端側に移動するように構成されたスタッド溶接機の位置決め装置である。
【発明の効果】
【０００８】
本発明のスタッド溶接機の位置決め装置は、溶接機本体１の外周に突設されたレッグ保持体２に細長い棒状のレッグ４が軸線方向に移動自在に挿通され、そのレッグ４とレッグ保持体２との間にレッグ４の移動を係脱自在にロックするロック手段５が設けられたものであるから、溶接しようとする母材15の凹凸や各種スタッド12の長さに応じて、ロック手段５を解放してレッグ４の長さを変化させ、次いで、それをロック状態にすることにより、スタッドの位置決めを容易に完了し得る。そのため、各種状況に応じ、作業性の良いスタッド溶接機の位置決め装置となり得る。
【０００９】
請求項２に記載の本発明は、レッグ保持体２に突設された係止部材７にレバー８がレッグ４の軸線方向に揺動自在に支持されると共に、レバー８とレッグ保持体２の筒状部６との間に圧縮スプリング10が介装されて、その圧縮スプリング10の付勢力により挿通孔９の孔縁がレッグ４の外面に係止されたものである。そしてその付勢力に抗してレバー８を揺動したとき、ロックが解除されるように構成されたから、ロック手段５の構造が簡単で取扱い易いスタッド溶接機の位置決め装置となり得る。
【００１０】
請求項３に記載の本発明は、さらに上記構成において、レバー８とレッグ４の後端部との間に引張スプリング11が介装されたものである。そしてレバー８を圧縮スプリング10の付勢力に抗して揺動させたとき、引張スプリング11の付勢力によりレッグ４が先端側に移動するように構成したから、レッグ４の移動を迅速に行い、その先端を母材15等に突き当てることにより位置決めを迅速に行い得る。そのため、さらに取扱い性の良いスタッド溶接機の位置決め装置となり得る。
【発明を実施するための最良の形態】
【００１１】
次に、図面に基づいて本発明の各実施形態につき説明する。
図１は本発明のスタッド溶接機の使用状態を示す説明図であり、図２はその要部を示し、その（Ａ）は要部正面図であってロック手段５がロック状態であり、（Ｂ）は（Ａ）のＢ−Ｂ矢視略図、（Ｃ）はロック手段５が開放された状態を示す正面図である。
このスタッド溶接機の位置決め装置は、溶接機本体１の外周に図示しない締結具で締結されたブラケット14を介してレッグ保持体２が突設されている。このレッグ保持体２は、その軸線方向が溶接機本体１のスタッド把持部３の軸線方向に平行となる筒状部６を有し、その筒状部６に細長い棒状のレッグ４が移動自在に挿通されている。
【００１２】
さらに筒状部６の外周には、係止部材７がレッグ４の軸線方向に突出されている。この係止部材７はＴ字状に形成され、そのＴ字状の付根にレバー８の一端が支持されている。そのレバー８の一端は係止部材７の付根の首部に整合する方形の切欠きが設けられ、その切欠部が係止部材７の首部に嵌着される。このレバー８は図２（Ｂ）の如く、中央部に挿通孔９が設けられている。その挿通孔９の直径は、レッグ４の直径よりも僅かに大に形成されている。そしてその挿通孔９にレッグ４が挿通され、レバー８と筒状部６との間に圧縮スプリング10が介装されている。
【００１３】
そしてこの圧縮スプリング10の付勢力により、レバー８はレッグ４の後端側に付勢されている。その結果、レバー８は斜めに保持され、挿通孔９の孔縁部がレッグ４の外周に係止される。即ち、図２（Ａ）の例ではレバー８の挿通孔９の後端側孔縁部の下端と、前端側孔縁部の上端とによって、レッグ４とレバー８とが係止されている。この状態では、レッグ４はその軸線方向に移動しない。
【００１４】
次に、レバー８を圧縮スプリング10の付勢力に抗して矢印方向に移動し、図２（Ｃ）の如くすると、レバー８とレッグ４とは直交してロック手段５が開放状態になる。即ち、レバー８の挿通孔９とレッグ４の外周との間に隙間が形成され、レッグ４を軸線方向に自由に移動することができる。
そこで、図１において母材15のスタッド溶接位置の凹凸に応じ、レッグ４を適宜長さに伸縮させることができる。この例は、コンデンサータイプのスタッド溶接機であり、溶接機本体１のスタッド把持部３にスタッド12を把持させた状態で、スタッド12の先端を母材15に接触させる。次いでレッグ４の先端を母材15に当接し、レバー８を復帰してロック状態とし、溶接機本体１を安定させた状態で、スタッド溶接を開始することができる。
【００１５】
即ち、スタッド12の先端と母材15との接触圧を一定にし、スタッド12を母材15上に或いは消耗したスタッド先端面にスタッド溶接することができる。
母材15の凹凸状態或いは既に植設された各高さのスタッド先端にスタッド12を溶接するには、その度毎にレッグ４を移動してその先端を母材15等に接触させれば足りる。
なお、この例ではレッグ４の先端部は曲がり部13の如く曲折されている。そのためレッグ４を軸線回りに回転することにより、最も安定した位置を探して曲がり部13の先端を母材15等に接触させることができる。
【００１６】
次に、図３は本発明の第２の実施の形態を示す要部正面図である。この例が図２（Ａ）と異なる点は、レッグ４の後端とレバー８との間に引張スプリング11が設けられたことである。
この引張スプリング11は、レッグ４を先端側に付勢している。そこで、レバー８を圧縮スプリング10に抗して矢印方向に移動すると、レバー８の挿通孔９とレッグ４の外周との間に隙間が生じる。すると、引張スプリング11の付勢力によりレッグ４は自動的に前方に移動する。そしてレッグ４の先端を母材等に突き当てることにより、ワンタッチでレッグ４の位置決めができる。次いで、レバー８を解放すれば図３の状態に戻り、レバー８の挿通孔９とレッグ４の外周とが係止され、位置決めが完了する。
【図面の簡単な説明】
【００１７】
【図１】本発明のスタッド溶接機の位置決め装置の使用状態を示す説明図。
【図２】同位置決め装置の要部を示し、（Ａ）はその一部破断正面図、（Ｂ）は（Ａ）のＢ−Ｂ矢視略図、（Ｃ）はロック手段５の開放状態を示す説明図。
【図３】本発明のスタッド溶接機の位置決め装置の第２の実施の形態を示す一部破断要部正面図。
【符号の説明】
【００１８】
１  溶接機本体
２  レッグ保持体
３  スタッド把持部
４  レッグ
５  ロック手段
６  筒状部
７  係止部材
【００１９】
８  レバー
９  挿通孔
10  圧縮スプリング
11  引張スプリング
12  スタッド
13  曲がり部
14  ブラケット
15  母材
【図１】
2005040854.tif 000003
【図２】
2005040854.tif 000004
【図３】
2005040854.tif 000005